(57)【要約】【課題】容量の低下を防止できるとともに算出処理を容易化できる波形等化方法、情報再生方法及び情報再生装置の提供。【解決手段】情報を記録媒体から多値信号を用いて再生する際に、クロックを抽出し、前記クロックで再生信号の量子化を行い、連続した前記量子化データにそれぞれ係数を乗じ加算する波形等化方法において、前記量子化データのうち既知な部分から波形干渉量を算出し、この波形干渉量から前記係数を求める。Ｄは1サンプル(クロック)分の遅延素子であり、×Ｃ０は係数Ｃ０を乗じる乗算器であり、同様に×Ｃ１は係数Ｃ１を乗じる乗算器であり、×Ｃ２は係数Ｃ２を乗じる乗算器であり、Σは全ての乗算器の出力の加算を行う加算器である。【選択図】    図８
2005339711.tif 000002
【特許請求の範囲】
【請求項１】
情報を記録媒体から多値信号を用いて再生する再生方法であって、前記情報を前記記録媒体から再生する際に、クロックを抽出し、前記クロックで再生信号の量子化を行い、連続した前記量子化データにそれぞれ係数を乗じ加算する波形等化方法において、
前記量子化データのうち既知な部分から波形干渉量を算出し、この波形干渉量から前記係数を求めることを特徴とする波形等化方法。
【請求項２】
請求項１記載の波形等化方法において、
前記波形干渉量を、多値記録を行う複数のレベルのうち第１のレベルＬ１と第２のレベルＬ２を用いて算出することを特徴とする波形等化方法。
【請求項３】
請求項２記載の波形等化方法において、
前記第１のレベルＬ１と第２のレベルＬ２が、多値レベルの再生信号が最大と最小になる組み合わせであることを特徴とする波形等化方法。
【請求項４】
請求項１乃至３のうちの何れか１つに記載の波形等化方法において、
前記量子化データのうち既知な部分である既知データとして、再生信号の中の同期信号並びにクロックの位相同期信号を用いることを特徴とする波形等化方法。
【請求項５】
請求項１乃至４のうちの何れか１つに記載の波形等化方法において、
前記量子化データのうち既知な部分である既知データを複数回取得し、平均処理を行うことを特徴とする波形等化方法。
【請求項６】
請求項４記載の波形等化方法において、
前記同期信号の出現毎に係数を更新することを特徴とする波形等化方法。
【請求項７】
情報を記録媒体から多値信号を用いて再生する再生装置であって、前記情報を前記記録媒体から再生する際に、ＰＬＬ回路でクロックを抽出し、前記クロックに同期してＡＤ変換器で再生信号の量子化を行い、前記量子化値を複数の１クロック分遅延させる回路に入力し、前記量子化データにそれぞれ係数を乗算器で乗じ、前記乗算器の出力を加算器で加算する情報再生装置において、
前記量子化データの再生信号の中の同期信号並びにクロックの位相同期信号から波形干渉量を算出し、この波形干渉量から前記係数を求めることを特徴とする情報再生装置。
【請求項８】
情報を記録媒体から多値信号を用いて再生する再生方法であって、前記情報を前記記録媒体から再生する際に、クロックを抽出し、前記クロックに同期して再生信号の量子化を行い、連続した前記量子化データにそれぞれ係数を乗じ加算する情報再生方法において、
再生信号の中の同期信号並びにクロックの位相同期信号のそれぞれの振幅値を検出し、この振幅値から前記係数を求めることを特徴とする情報再生方法。
【請求項９】
情報を記録媒体から多値信号を用いて再生する再生装置であって、前記情報を前記記録媒体から再生する際に、ＰＬＬ回路でクロックを抽出し、前記クロックに同期してＡＤ変換器で再生信号の量子化を行い、前記量子化値を複数の１クロック分遅延させる回路に入力し、前記量子化データにそれぞれ係数を乗算器で乗じ、前記乗算器の出力を加算器で加算する情報再生装置において、
前記量子化データの再生信号の中の同期信号並びにクロックの位相同期信号の振幅をピークホールド回路で求め、この振幅からから前記係数を求めることを特徴とする情報再生装置。
【請求項１０】
情報を記録媒体から多値信号を用いて再生する再生方法であって、前記情報を前記記録媒体から再生する際に、クロックを抽出し、前記クロックに同期して再生信号の量子化を行い、連続した前記量子化データにそれぞれ係数を乗じ加算する情報再生方法において、
前記クロックが抽出されている際は、再生信号の中の同期信号ならびにクロックの位相同期信号を量子化した値からのそれぞれの振幅値を検出し、前記クロックが同期していない際は、再生信号のピーク検出により振幅を検出し、この振幅値から前記係数を求めることを特徴とする情報再生方法。
【請求項１１】
情報を記録媒体から多値信号を用いて再生する再生装置であって、前記情報を前記記録媒体から再生する際に、ＰＬＬ回路でクロックを抽出し、前記クロックに同期してＡＤ変換器で再生信号の量子化を行い、前記量子化値を複数の１クロック分遅延させる回路に入力し、前記量子化データにそれぞれ係数を乗算器で乗じ、前記乗算器の出力を加算器で加算する情報再生装置において、
前記量子化データの再生信号の中の同期信号並びにクロックの位相同期信号の振幅を前記ＰＬＬ回路がロックしている際は、再生信号の中の同期信号並びにクロックの位相同期信号を前記量子化した値から算出し、前記ＰＬＬ回路がロックしていない際は、再生信号をピークホールド回路の出力から算出し、この振幅から前記係数を求めることを特徴とする情報再生装置。
【発明の詳細な説明】
【技術分野】
【０００１】
本発明は、情報を記録媒体に記録し又は記録媒体から再生する際の再生方法において、特に多値で情報を記録した場合に記録再生特性を改善するための波形等化方法、情報再生方法及び情報再生装置に関する。
【背景技術】
【０００２】
特開２０００−３４８４４０号公報には、生成された入力サンプル内に極端な雑音成分又は歪み成分が含まれている場合でも、正確に波形等化処理を行うことが可能な波形等化装置及び情報再生装置が記載されている。
これは、入力サンプルに対して波形等化処理を行う波形等化器において、入力サンプルのうち既知内容の入力サンプルと同じ内容の理想応答サンプルを生成する理想応答生成器と、入力サンプルに対して波形等化処理を行い波形等化サンプルを生成するディジタルフィルタと、波形等化サンプルの内容を判読し判読信号を生成する情報判読器と、既知内容の入力サンプルがディジタルフィルタに入力されるべき期間である既知サンプル入力期間に実際にディジタルフィルタに入力される入力サンプルと、理想応答サンプルと、当該期間に生成される判読信号と、に基づいて当該期間のディジタルフィルタのフィルタ係数を設定する係数決定部とを備えている。
【０００３】
特開２００３−３１７２５６号公報には、光情報記録媒体の記録マークの面積を変調することによって再生信号のレベルが多値化された情報を再生する際、符号間干渉を波形等化処理で精度良く除去できるようにするための多値データ記録再生装置が記載されている。
これは、光情報記録媒体に、記録マークの大きさを多値データに対応して変化させ、情報再生時には、前記記録マークを光スポットで走査して得られる信号に所定の信号処理を施して多値データを検出する多値データ検出回路において、上記多値データを予測判定する予測器と、その予測器における予測判定に要する時間分だけ信号処理を遅らせる遅延器と、上記予測器の予測判定結果である予測データに基づいて波形等化を行って多値データを決定する判定器を有している。
【０００４】
特開２００２−３１９１３８号公報には、光ディスク等の記録媒体に多値情報列を高密度に記録した場合にその記録された多値情報列を精度良く再生できるようにするための情報記録再生装置が記載されている。
これは、光ディスクに記録された多値情報列の校正情報と多値情報列のユーザ情報とを再生し、復調回路によってその再生した校正情報の各値の再生信号の最大値を求め、各再生信号に対してそれぞれの最大値の前後における上記各値の多値データ周期離れた範囲外の各振幅を略０にする波形等化処理を決定し、再生したユーザ情報の再生信号に上記決定した波形等化処理に基づく波形等化処理を施すものである。
【０００５】
【特許文献１】特開２０００−３４８４４０号公報
【特許文献２】特開２００３−３１７２５６号公報
【特許文献３】特開２００２−３１９１３８号公報
【発明の開示】
【発明が解決しようとする課題】
【０００６】
一般に、情報記録媒体に多値で情報を記録した場合、その再生信号から情報を再生する際に、波形干渉を除去するための波形等化処理を行っている。
この波形等化の系数は、既知のデータを予め記録し、再生し、複数回処理を行い、等化による出力が目標値に近くなるように変化させて求めるようになっている。上記特開２００２−３１９１３８号公報には、この係数計算を短縮する方法が記載されている。
しかしながら、上記いずれの従来技術の場合も、波形等化係数を求めるために特殊なパターンを記録する必要があり、容量を低下させる原因になっていた。
また、係数を定期的に更新するには、容量の問題とともに、算出処理の簡易さが必要である。
【０００７】
そこで、本発明は、上記容量の低下問題等を解消できる波形等化方法、情報再生方法及び情報再生装置の提供を、その主な目的とする。
【課題を解決するための手段】
【０００８】
上記目的を達成するために、本発明では、波形等化が線形性を持つことを利用し、波形干渉量が検出できる複数のパターンから干渉量を算出し、この量から各係数を算出することとした。
また、この複数のパターンとしてセクタを示す、セクタマークとクロックの位相合わせに用いるプリアンブルを用いて係数を決定することにより、容量の低下を防ぐこととした。
【０００９】
具体的には、請求項１記載の発明では、情報を記録媒体から多値信号を用いて再生する再生方法であって、前記情報を前記記録媒体から再生する際に、クロックを抽出し、前記クロックで再生信号の量子化を行い、連続した前記量子化データにそれぞれ係数を乗じ加算する波形等化方法において、前記量子化データのうち既知な部分から波形干渉量を算出し、この波形干渉量から前記係数を求めることを特徴とする。
【００１０】
請求項２記載の発明では、請求項１記載の波形等化方法において、前記波形干渉量を、多値記録を行う複数のレベルのうち第１のレベルＬ１と第２のレベルＬ２を用いて算出することを特徴とする。
【００１１】
請求項３記載の発明では、請求項２記載の波形等化方法において、前記第１のレベルＬ１と第２のレベルＬ２が、多値レベルの再生信号が最大と最小になる組み合わせであることを特徴とする。
【００１２】
請求項４記載の発明では、請求項１乃至３のうちの何れか１つに記載の波形等化方法において、前記量子化データのうち既知な部分である既知データとして、再生信号の中の同期信号並びにクロックの位相同期信号を用いることを特徴とする。
【００１３】
請求項５記載の発明では、請求項１乃至４のうちの何れか１つに記載の波形等化方法において、前記量子化データのうち既知な部分である既知データを複数回取得し、平均処理を行うことを特徴とする。
【００１４】
請求項６記載の発明では、請求項４記載の波形等化方法において、前記同期信号の出現毎に係数を更新することを特徴とする。
【００１５】
請求項７記載の発明では、情報を記録媒体から多値信号を用いて再生する再生装置であって、前記情報を前記記録媒体から再生する際に、ＰＬＬ回路でクロックを抽出し、前記クロックに同期してＡＤ変換器で再生信号の量子化を行い、前記量子化値を複数の１クロック分遅延させる回路に入力し、前記量子化データにそれぞれ係数を乗算器で乗じ、前記乗算器の出力を加算器で加算する情報再生装置において、前記量子化データの再生信号の中の同期信号並びにクロックの位相同期信号から波形干渉量を算出し、この波形干渉量から前記係数を求めることを特徴とする。
【００１６】
請求項８記載の発明では、情報を記録媒体から多値信号を用いて再生する再生方法であって、前記情報を前記記録媒体から再生する際に、クロックを抽出し、前記クロックに同期して再生信号の量子化を行い、連続した前記量子化データにそれぞれ係数を乗じ加算する情報再生方法において、再生信号の中の同期信号並びにクロックの位相同期信号のそれぞれの振幅値を検出し、この振幅値から前記係数を求めることを特徴とする。
【００１７】
請求項９記載の発明では、情報を記録媒体から多値信号を用いて再生する再生装置であって、前記情報を前記記録媒体から再生する際に、ＰＬＬ回路でクロックを抽出し、前記クロックに同期してＡＤ変換器で再生信号の量子化を行い、前記量子化値を複数の１クロック分遅延させる回路に入力し、前記量子化データにそれぞれ係数を乗算器で乗じ、前記乗算器の出力を加算器で加算する情報再生装置において、前記量子化データの再生信号の中の同期信号並びにクロックの位相同期信号の振幅をピークホールド回路で求め、この振幅からから前記係数を求めることを特徴とする。
【００１８】
請求項１０記載の発明では、情報を記録媒体から多値信号を用いて再生する再生方法であって、前記情報を前記記録媒体から再生する際に、クロックを抽出し、前記クロックに同期して再生信号の量子化を行い、連続した前記量子化データにそれぞれ係数を乗じ加算する情報再生方法において、前記クロックが抽出されている際は、再生信号の中の同期信号ならびにクロックの位相同期信号を量子化した値からのそれぞれの振幅値を検出し、前記クロックが同期していない際は、再生信号のピーク検出により振幅を検出し、この振幅値から前記係数を求めることを特徴とする。
【００１９】
請求項１１記載の発明では、情報を記録媒体から多値信号を用いて再生する再生装置であって、前記情報を前記記録媒体から再生する際に、ＰＬＬ回路でクロックを抽出し、前記クロックに同期してＡＤ変換器で再生信号の量子化を行い、前記量子化値を複数の１クロック分遅延させる回路に入力し、前記量子化データにそれぞれ係数を乗算器で乗じ、前記乗算器の出力を加算器で加算する情報再生装置において、前記量子化データの再生信号の中の同期信号並びにクロックの位相同期信号の振幅を前記ＰＬＬ回路がロックしている際は、再生信号の中の同期信号並びにクロックの位相同期信号を前記量子化した値から算出し、前記ＰＬＬ回路がロックしていない際は、再生信号をピークホールド回路の出力から算出し、この振幅から前記係数を求めることを特徴とする。
【発明の効果】
【００２０】
請求項１記載の発明によれば、情報を記録媒体から多値信号を用いて再生する再生方法であって、前記情報を前記記録媒体から再生する際に、クロックを抽出し、前記クロックで再生信号の量子化を行い、連続した前記量子化データにそれぞれ係数を乗じ加算する波形等化方法において、前記量子化データのうち既知な部分から波形干渉量を算出し、この波形干渉量から前記係数を求めることとしたので、係数を簡単に算出できる。
【００２１】
請求項２記載の発明によれば、請求項１記載の波形等化方法において、前記波形干渉量を、多値記録を行う複数のレベルのうち第１のレベルＬ１と第２のレベルＬ２を用いて算出することとしたので、波形干渉量を任意の２つのレベルで容易に算出できる。
【００２２】
請求項３記載の発明によれば、請求項２記載の波形等化方法において、前記第１のレベルＬ１と第２のレベルＬ２が、多値レベルの再生信号が最大と最小になる組み合わせであることとしたので、最大と最小のレベルを用いることにより、ノイズに対する安定性を得ることができる。
【００２３】
請求項４記載の発明によれば、請求項１乃至３のうちの何れか１つに記載の波形等化方法において、前記量子化データのうち既知な部分である既知データとして、再生信号の中の同期信号並びにクロックの位相同期信号を用いることとしたので、新たに係数計算用のデータが不要となる。
【００２４】
請求項５記載の発明によれば、請求項１乃至４のうちの何れか１つに記載の波形等化方法において、前記量子化データのうち既知な部分である既知データを複数回取得し、平均処理を行うこととしたので、ノイズの影響を低減できる。
【００２５】
請求項６記載の発明によれば、請求項４記載の波形等化方法において、前記同期信号の出現毎に係数を更新することとしたので、メディアの面内のばらつき等による変動を抑えることができる。
【００２６】
請求項７記載の発明によれば、情報を記録媒体から多値信号を用いて再生する再生装置であって、前記情報を前記記録媒体から再生する際に、ＰＬＬ回路でクロックを抽出し、前記クロックに同期してＡＤ変換器で再生信号の量子化を行い、前記量子化値を複数の１クロック分遅延させる回路に入力し、前記量子化データにそれぞれ係数を乗算器で乗じ、前記乗算器の出力を加算器で加算する情報再生装置において、前記量子化データの再生信号の中の同期信号並びにクロックの位相同期信号から波形干渉量を算出し、この波形干渉量から前記係数を求めることとしたので、係数の算出を容易にできる。
【００２７】
請求項８記載の発明によれば、情報を記録媒体から多値信号を用いて再生する再生方法であって、前記情報を前記記録媒体から再生する際に、クロックを抽出し、前記クロックに同期して再生信号の量子化を行い、連続した前記量子化データにそれぞれ係数を乗じ加算する情報再生方法において、再生信号の中の同期信号並びにクロックの位相同期信号のそれぞれの振幅値を検出し、この振幅値から前記係数を求めることとしたので、クロックが同期していない場合にも係数を容易に求めることができる。
【００２８】
請求項９記載の発明によれば、情報を記録媒体から多値信号を用いて再生する再生装置であって、前記情報を前記記録媒体から再生する際に、ＰＬＬ回路でクロックを抽出し、前記クロックに同期してＡＤ変換器で再生信号の量子化を行い、前記量子化値を複数の１クロック分遅延させる回路に入力し、前記量子化データにそれぞれ係数を乗算器で乗じ、前記乗算器の出力を加算器で加算する情報再生装置において、前記量子化データの再生信号の中の同期信号並びにクロックの位相同期信号の振幅をピークホールド回路で求め、この振幅からから前記係数を求めることとしたので、クロックが同期していない場合にも係数を容易に求めることができる。
【００２９】
請求項１０記載の発明によれば、情報を記録媒体から多値信号を用いて再生する再生方法であって、前記情報を前記記録媒体から再生する際に、クロックを抽出し、前記クロックに同期して再生信号の量子化を行い、連続した前記量子化データにそれぞれ係数を乗じ加算する情報再生方法において、前記クロックが抽出されている際は、再生信号の中の同期信号ならびにクロックの位相同期信号を量子化した値からのそれぞれの振幅値を検出し、前記クロックが同期していない際は、再生信号のピーク検出により振幅を検出し、この振幅値から前記係数を求めることとしたので、クロックが同期していない場合、同期している場合のそれぞれにおいて最適な係数を求めることができる。
【００３０】
請求項１１記載の発明によれば、情報を記録媒体から多値信号を用いて再生する再生装置であって、前記情報を前記記録媒体から再生する際に、ＰＬＬ回路でクロックを抽出し、前記クロックに同期してＡＤ変換器で再生信号の量子化を行い、前記量子化値を複数の１クロック分遅延させる回路に入力し、前記量子化データにそれぞれ係数を乗算器で乗じ、前記乗算器の出力を加算器で加算する情報再生装置において、前記量子化データの再生信号の中の同期信号並びにクロックの位相同期信号の振幅を前記ＰＬＬ回路がロックしている際は、再生信号の中の同期信号並びにクロックの位相同期信号を前記量子化した値から算出し、前記ＰＬＬ回路がロックしていない際は、再生信号をピークホールド回路の出力から算出し、この振幅から前記係数を求めることとしたので、クロックが同期していない場合、同期している場合のそれぞれにおいて最適な係数を求めることができる。
【発明を実施するための最良の形態】
【００３１】
以下、本発明の実施の形態を図１乃至図８に基づいて説明する。
図１に多値記録の再生波形を示す。上段が再生波形の理想値で中段が理想の再生クロックである。再生クロックの立ち上がりで再生波形の電圧が矩形波状に変化し、クロックの立ち下りで安定してレベルを判定できる。これに対して実際の波形は下段に示すようなものとなる。
【００３２】
図２に、情報再生装置としての光ディスク装置の構成例を示す。なお本実施形態では記録媒体として光ディスクを例に説明するが、媒体の記録方式に限定される趣旨ではない。すなわち、光磁気、追記型の媒体、リライタブルな媒体でも同じ効果が得られる。
図２は、本発明に関係する部分を中心に、必要な最低限の構成を示したものである。外部機器（例えばパーソナルコンピュータ）から光ディスク・ドライブにコマンドを送ると、インターフェースコントローラ１０がコマンドを受け取り、コントローラ１１へコマンドを受け取った旨、報告する。コントローラ１１はこのコマンドを解釈し、光ディスク・ドライブにコマンドの要求する動作を行わせ、レポートをインターフェースコントローラ１０を通して外部機器に行う。また、情報を記録する際は、外部機器からインターフェースコントローラ１０を通してデジタル回路１２を経由し、一旦バッファメモリ１３に記憶する。このデータに対し、デジタル回路１２では、誤り訂正符号を付けたり、同期信号を付加したり、多値レベルへの変調符号に変換などの動作を行う。
【００３３】
また、書きこむアドレスは、媒体上に予め書かれているアドレスを読んで指示されたアドレスに情報を記録する。次にアナログ回路１４で光ディスク１５に記録するように光ピックアップユニット１６上のＬＤ（レーザーダイオード）を発光させるように電流を制御し、多値レベルに記録する。
また、光ピックアップユニット１６からのＬＤの出射光が媒体（光ディスク１５）に当たり、その反射光をＰＤ（フォトディテクタ）で受けてアナログ回路１４で処理をし、フォーカスエラー信号や、トラッキングエラー信号などを生成してサーボ回路１７に入力し、サーボ回路１７でピックアップの位置やレンズの位置を制御する。
このとき、光情報媒体（光ディスク１５）は通常スパイラルの溝もしくはデータ配列を持っている。そのため、時間の経過と共に（例えば、外周から内周でもよい）内周から外周に移動し、トラッキング制御できる範囲を超えてしまう。
そこで、トラッキングサーボ信号から光ピックアップユニット１６全体を移動させ、常にレンズの位置が中立に近い形で保てるようにキャリトラと呼ばれる制御を行っている。
【００３４】
再生の場合は、ピックアップの出力をアナログ回路１４で量子化及びＰＬＬ（位相同期回路：以下、「ＰＬＬ回路」ともいう）等を用いてクロック抽出を行い、デジタル回路１２で同期検出、復調、誤り訂正などを行い、バッファメモリ１３に貯える。その後、インターフェースコントローラ１０を通して外部機器に情報を転送している。
図３に情報配列の例を示す。多値記録の場合は２値と違って再生信号のエッジ部を正しく抽出できないため、エッジからクロックを抽出できない。そこで、Ｄａｔａと書かれている情報部とは別にＣｌｏｃｋＭａｒｋと書かれている特別なマークを用いてクロックを抽出する。このＤａｔａの長さは、偏心などにより生じるクロック変動量がシステムの許容値以内になるように設定される。
クロックマークはその前後のデータからの符号間干渉による影響がないパターンを使用すると共に、位置の変動が生じても誤同期を生じないようにする必要がある。
【００３５】
図４にクロックマークの一例を示す。これは、例えば８値で情報を記録する際、反射光量が大きい方を０とし、光量が少ないときを７とするときの「００７００」のクロックマークの例である。図４（ｂ）は、この再生信号を微分した波形を示し、この０クロスで同期位置の検出を行うことができる。この同期位置を通常よく使用されているＰＬＬの位相比較器に入力することでクロックを生成できる。
図５に同期マークの一例を示す。クロックマークと同様に、例えば８値で情報を記録する際、反射光量が大きい方を０とし、光量が少ないときを７とするときの「００００７００００」の同期マークの例である。図５（ｂ）は、この再生信号を微分した波形を示し、この０クロスで同期位置の検出を行うことができる。
クロックマークに対して同期マークが長いのは、欠陥などで生じるビットスリップを回復するための変動はクロックマークより大きいため、より大きなウインドウを必要とするためである。図６に、クロックマークと同期マークの配置を示す。
【００３６】
図７に、セクターマークとプリアンブルの一例を示す。セクターマークＡはデータ中に存在しない特殊パターンを用いることで非同期状態でも検出できるようにする。そのため、７の連続と０の連続でマークを構成している。
プリアンブルＢは、クロックの位相を早く引き込んで反転間隔を小さくするため、０と７を交互に記録する。
図８に、３タップの波形等化回路の一例を示す。Ｄは1サンプル(クロック)分の遅延素子であり、×Ｃ０は係数Ｃ０を乗じる乗算器であり、同様に×Ｃ１は係数Ｃ１を乗じる乗算器であり、×Ｃ２は係数Ｃ２を乗じる乗算器であり、Σは全ての乗算器の出力の加算を行う加算器である。
「３タップ」とは、乗算を行い且つこれらの全加算を行う数が３個であるという意味であり、何タップでも同様に行うことができる。
【００３７】
この波形等化は、前後のデータから次のように考え、波形干渉を除去している。
波形干渉がない信号の場合、記録した際のマークを振幅を以下のように表す。
Ｗｎ−５、Ｗｎ−４、Ｗｎ−３、Ｗｎ−２、Ｗｎ−１、Ｗｎ、Ｗｎ＋１、Ｗｎ＋２、Ｗｎ＋３、
Ｗｎ＋４、Ｗｎ＋５
このとき、ビーム径がマークに比べ大きいため波形干渉を生じる。この度合いをαとすると再生信号は前後の信号と合わせて以下のように表せる。
Ｒｎ＝αＷｎ−１＋Ｗｎ＋αＷｎ＋１
これを、再生信号からＷｎ−１とＷｎ＋１分を除去するのが波形等化である。
Ｒｎと同様にＲｎ−１、Ｒｎ＋１は次のように表せる。
Ｒｎ−１＝αＷｎ−２＋Ｗｎ−１＋αＷｎ
Ｒｎ＝αＷｎ−１＋Ｗｎ＋αＷｎ＋１
Ｒｎ＋１＝αＷｎ＋Ｗｎ＋１＋αＷｎ＋２
３Ｔａｐの場合、波形等化はＲｎからαＲｎ−１とαＲｎ＋１とを引いたものである。
−αＲｎ−１＋Ｒｎ−αＲｎ−１
＝−α２Ｗｎ−２＋（１−２×α２）Ｗｎ−α２Ｗｎ＋２
さらに、下記式に示すように、Ｗｎの項が1になるように（１−２×α２）の逆数をかける。
【００３８】
【数１】
2005339711.tif 000003
【００３９】
上式のＲで示した式の各係数が波形等化の係数である。このときＷで示した式の１項目と３項目の係数が残留誤差にあたり、この値が大きいときにはタップ数を増やせばよい。
このように、隣接するサンプルに対し約α倍の波形干渉をもつ再生信号をＲとし、波形干渉が無い真の値をＷとすると、ＲはＷとαの関数で表すことができる。
このとき、逆関数を求めればＲからＷを求めることができる。しかし、逆関数でＷを求めるには、−無限大時間から＋無限大時間までの全てのＲを使う必要があるが、許容値を考え有限サンプルで処理を行える（請求項１）。
【００４０】
次に、このαを算出する。レベル０の時の波形干渉が無いＷの値をＶ０とし、７の時の値をＶ７とする。このとき、レベル０、０、０を記録すると、再生信号Ｒ０００は、
Ｒ０００＝αＶ０＋Ｖ０＋αＶ０
＝（１＋２α）Ｖ０
となる。同様にレベル７、７、７を記録すると、再生信号Ｒ７７７は、
Ｒ７７７＝αＶ７＋Ｖ７＋αＶ７
＝（１＋２α）Ｖ７
となる。
次にレベル０、７、０を記録すると、再生信号Ｒ０７０は、
Ｒ０７０＝αＶ０＋Ｖ７＋αＶ０
＝Ｖ７＋２αＶ０
となる。
【００４１】
次にレベル７、０、７を記録すると、再生信号Ｒ７０７は、
Ｒ７０７＝αＶ７＋Ｖ０＋αＶ７
＝Ｖ０＋２αＶ７
となる。
ここで、Ｒ０００とＲ７７７の差と、Ｒ７０７とＲ０７０の差を取る。
Ｒ０００−Ｒ７７７＝（１＋２α）（Ｖ０−Ｖ７）
Ｒ７０７−Ｒ０７０＝（１−２α）（Ｖ０−Ｖ７）
よって
（Ｒ０００−Ｒ７７７）（１−２α）＝（Ｒ７０７−Ｒ０７０）（１＋２α）
となり、αについて解くと、
α＝（（Ｒ０００−Ｒ７７７）−（Ｒ７０７−Ｒ０７０））／（（Ｒ０００−Ｒ７７７）＋（Ｒ７０７−Ｒ０７０））／２
となる。なおＲ０００、Ｒ７７７、Ｒ０７０、Ｒ７０７は再生信号であるから、再生信号のみで符号干渉量αを算出できる。これは、０と７の組み合わせでなくとも任意の２つの値でよい（請求項２、３）。
【００４２】
この４種類の再生信号は、テストデータとして特別に記録しなくても、Ｒ０００、Ｒ７７７をセクターマークから、Ｒ０７０、Ｒ７０７をプリアンブルから求めることができる（請求項４）。
また、再生信号にはノイズ成分が含まれているので、複数回とって平均処理を行うことによりランダムノイズ成分を除去できる（請求項５）。
セクターマーク及びプリアンブルはある一定周期で記録されているので、この一定周期毎に本計算を繰り返し、係数を更新することができる（請求項６）。
【００４３】
図９乃至図１２に基づいて第２の実施形態を説明する。
図９に、本実施形態における波形等化回路を示す。図８に示した回路と比べて異なるのは、係数計算器を備えている点である。
これは、上述したＲ０００、Ｒ７７７、Ｒ０７０、Ｒ７０７の４つの信号を入力信号の中から図示していないシーケンサでサンプリングし、各係数を求めるようになっている（請求項７）。
メディア（光ディスク等）をドライブに挿入した場合や、電源投入時は、波形等化係数を求められない。またＰＬＬがロックしていないとＲ０００、Ｒ７７７はＡＤで検出できるが、Ｒ０７０、Ｒ７０７は検出できない。
【００４４】
そこで、クロックと関係ないピークホールドを用いたαの算出方法を説明する。図１０に示すように、セクターマークＡとプリアンブルＢに対し、ピークホールドの検出を許可するイネーブル信号１、２を生成する。この信号は、大体の位置が合っていればよい。
イネーブル信号１でＲ０００、Ｒ７７７のピークを検出し、Ｌ期間でホールドさせる。また、イネーブル信号２でＲ０７０、Ｒ７０７のピークを検出し、Ｌ期間でホールドさせる。
図１１に示すように、再生信号を図１０で示したイネーブル信号に基づいてピークホールド回路ＰＨでそれぞれのタイミングで最大値と最小値をホールドさせる。これを切り替え器などでＡＤコンバータに入力し、図示しないコントローラで値を読み込み、係数を計算する（請求項８、９）。
また、電源投入時やメディア・ロード時にはこのサンプルホールドで係数を決め、ＰＬＬクロックがロックしたら、クロックに基づくサンプル値で係数を決めることができる。このときのフローを図１２に示す（請求項１０、１１）。
【図面の簡単な説明】
【００４５】
【図１】多値記録における再生波形例を示す図である。
【図２】第１の実施形態における記録／再生装置のブロック図である。
【図３】データの配列例を示す図である。
【図４】クロックマークとその微分波形を示す図である。
【図５】同期マークとその微分波形を示す図である。
【図６】従来の同期マークとクロックマーク、データの配置例を示す図である。
【図７】セクターマークとプリアンブルを示す図である。
【図８】波形等化回路を示す図である。
【図９】第２の実施形態における波形等化回路を示す図である。
【図１０】セクターマーク、プリアンブルとイネーブル信号との関係を示す図である。
【図１１】ピークホールドで係数を決定するブロック図である。
【図１２】係数決定のフローチャートである。
【符号の説明】
【００４６】
１５  記録媒体としての光ディスク
【図１】
2005339711.tif 000004
【図２】
2005339711.tif 000005
【図３】
2005339711.tif 000006
【図４】
2005339711.tif 000007
【図５】
2005339711.tif 000008
【図６】
2005339711.tif 000009
【図７】
2005339711.tif 000010
【図８】
2005339711.tif 000011
【図９】
2005339711.tif 000012
【図１０】
2005339711.tif 000013
【図１１】
2005339711.tif 000014
【図１２】
2005339711.tif 000015